(57)【特許請求の範囲】
【請求項１】
床基盤（１）上に配置され根太（１０）を支持する根太支持具（３０）において、
該根太（１０）は、両側面に根太支持具（３０）が係止される係止溝（１１）を備え、
根太支持具（３０）は、床基盤（１）上に立設される脚部（３１）と、
この脚部（３１）の上部に高さ可変に取り付けられる、根太支持部（４０）とからなり、
該根太支持部（４０）は、上記根太（１０）の下面に当接して根太（１０）を支承する底板（４１）と、この底板の両側部から立設され、弾性的に外側に向け湾曲可能な腕部（４５）と、該腕部（４５）の先端に形成され、上方から上記腕部（４５）の間に挿入された根太（１０）の係止溝（１１）に嵌まり込み、根太（１０）を係止する係合爪部（４８）と、
を備えた根太支持具。
【請求項２】
上記脚部（３１）は、床基盤上に載置された基台（３２）と、この基台（３２）上に回転可能に配置されたねじ棒（３３）とからなり、
上記根太支持部（４０）には前記ねじ棒（３３）にねじ込まれ、床基盤（１）からの高さを可変に配置されている請求項１に記載の根太支持具。
【請求項３】
上記脚部（３１）は、床基盤（１）上に埋め込まれて固定された雌ねじ部材（７５）と、この雌ねじ部材（７５）にねじ込まれたねじ棒（３３）からなり、
上記根太支持部（４０）には、前記ねじ棒（３３）にねじ込まれ、床基盤からの高さを可変に配置されている請求項１に記載の根太支持具。
【請求項４】
上記根太支持部（４０）は、合成樹脂で形成された請求項1，請求項２，又は請求項３に記載の根太支持具。
【請求項５】
上記根太支持部（４０）は、金属板で形成された請求項1，請求項2，又は請求項３に記載の根太支持具。
【請求項６】
請求項１、請求項２、請求項３、請求項４，又は請求項５に記載の根太支持具で根太を支持する床構造。
【発明の詳細な説明】
【０００１】
【発明の技術分野】
この発明は、根太支持具及び床構造に係り、特に床基盤であるコンクリートスラブ上に複数の木製の根太材を略平行に配置し、この根太材上に木製のフローリング材を掛け渡して敷設して構成した根太支持具、及びこのような根太支持具を使用する床構造に関する。
【従来の技術】
上述したような木製の床構造として、例えば図５に示すものがある。この床構造は、コンクリートスラブ１上に根太材５２を支持金具５１で支承する構造である（特許第３０１４８１５号参照）。
【０００２】
本例によれば、コンクリートスラブ１上に複数の支持金具５１で木製の根太材５２を略平行に複数配置し、この根太材５２上に木製のフローリング材(図示していない)を掛け渡し、木製の床構造を構築する。
【０００３】
本例で、根太材５２は、図５に示すように、断面略矩形の梁状の硬質木製部材であり、根太材５２の両側部の厚み中央部に、上記支持金具５１の一部が挿入される溝部５３が長さ方向に沿って溝切りされている。この根太材５２には支持金具５１が取り付けられる位置にねじ棒貫通孔５４が、上下方向に貫通して開設されている。
【０００４】
また、支持金具５１は、図５に示すように、根太材５２に取り付けられる保持金具５７と、コンクリートスラブ１上に立設されるねじ棒５６とからなる。保持金具５７及びねじ棒５６はステンレススチール製、又は溶融亜鉛メッキされた鋼製である。
【０００５】
保持金具５７は、断面略Ｃ型をなし、上記根太材５２の底部を保持すると共に上記ねじ棒５６が貫通する貫通孔５８が開設される底板部５７ａと、上記底板部５７ａから根太材５２の側面部５２ｂに沿って立ち上がる立設板部５７ｂと、上記立設板部５７ｂから内側に延び、根太材５２の両側面部５２ｂに形成された溝部５３に嵌まり込む水平嵌入板部５７ｃとが形成される。
【０００６】
また、上記貫通孔５８が開設される底板部５７ａの下側個所には、上記ねじ棒５６がねじ込まれこの保持金具５７の底板部５７ａと上記ねじ棒５６との上下方向の位置を調整可能にするナット５９が溶接されて固着されている。
【０００７】
また、本例では、上記ねじ棒５６の上端面５６ａには、ねじ棒回転駆動工具のビット係合用の係合溝６０として十字溝が形成されている。
【０００８】
そして、この例では、コンクリートスラブ１の孔部１ａには、取付金具７２がエポキシ系の接着剤２を介して固着配置され、この取付金具７２に上記ねじ棒５６をねじ込んで取り付けるものとしている。
【０００９】
この取付金具７２は、内面７２ｃに雌ねじ７２ｄを形成すると共に底板７２ｅを備えた有底筒体７２ａと、この有底筒体７２ａの外側に溶接固着され、この取付金具７２を上記コンクリートスラブ１の上面に高さ方向に位置決めする鍔部７２ｂとからなるものである。この取付金具７２に上記ねじ棒５６の下端面５６ｂがねじ込まれ上下方向の取付位置を調整可能とされる。
【００１０】
【発明が解決しようとする課題】
ここで、上述した根太支持具及び床構造では、根太材は以下の手順でコンクリートスラブ上に水平に取付固定される。
【００１１】
まず、保持金具５７の底板部５７ａの貫通孔５８が根太材５２の２か所のねじ棒貫通孔５４に一致するように、根太材５２に保持金具５７を配置する。また、根太材の両端にも保持金具５７を配置する。保持金具５７は、根太材５２の端縁部から保持金具５７を溝部５３に沿って所定の位置、すなわち保持金具が所定の貫通孔に位置する個所までスライドさせる。
【００１２】
次に、各保持金具５７に取り付けられたナット５９にねじ棒５６をねじ込む。通常、ねじ棒５６を保持金具５７のナット５９側からねじ棒５６をねじ込むほうが、ねじ棒５６の挿入に必要なねじ棒の回転数が少ないため有利である。このときには、ねじ棒５６の下端面５６ｂに形成した係合溝（図示していない）に回転工具のビットを係合させて回転させる。また、保持金具５７を取り付けた根太材５２のねじ棒貫通孔５４側からねじ棒５６をねじ込んでもよい。
【００１３】
本例では、ねじ棒５６をコンクリートスラブ１に取り付けるのに取付金具７２を使用するので、この段階でねじ棒５６の先端に取付金具７２を取り付けておく。
次に、根太材５２をコンクリートスラブ１上に配置してレベル合わせを行なう。
根太材５２の両端に相当する個所のコンクリートスラブ上の孔部1ａにエポキシ樹脂、又はウレタン樹脂等あるいはそれらの双方からなる接着剤２を充填して、根太材５２を、コンクリートスラブ１上の所定の個所に配置し、根太材５２の両端に配置したねじ棒５６の先端を差し込む。このときねじ棒５６の先端に取付金具７２が取り付けられているので、取付金具７２の先端が孔部1ａに入り込む。
【００１４】
根太材５２の上方から、根太材５２の両端に取り付けらたねじ棒５６の上端面５６ａの係合溝６０に回転工具のビットを係合させて回転させることにより、取付金具の鍔部７２ｂがコンクリートスラブ１に接触するまでねじ棒５６を回転させた後、ねじ棒５６の下部に取り付けている取付金具７２を手指で回転させて根太材５２が水平で所定の高さになるように調整する。この調整は接着剤２が硬化する前に行なう必要がある。
【００１５】
このように、従来の床構造にあっては、根太支持具を介してスラブ上に根太材を取り付けることは手間がかかり容易ではないという問題がある。
【００１６】
そこで、本発明はスラブ上に根太を容易に取り付けることができる根太支持具及び床構造を提供することを目的とする。
【課題を解決するための手段】
本発明において、上記の課題を解決する発明は以下の通りである。
【００１７】
請求項１に記載の発明は、床基盤１上に配置され根太１０を支持する根太支持具３０において、該根太１０は、両側面に根太支持具３０が係止される係止溝１１を備え、根太支持具３０は、床基盤上に立設される脚部３１と、この脚部３１の上部に高さ可変に取り付けられる、根太支持部４０とからなり、該根太支持部４０は、上記根太１０の下面に当接して根太１０を支承する底板４１と、この底板の両側部から立設され、弾性的に外側に向け湾曲可能な腕部４５と、該腕部４５の先端に形成され、上方から上記腕部４５の間に挿入された根太１０の係止溝１１に嵌まり込み、根太１０を係止する係合爪部４８とを備えた根太支持具である。
【００１８】
請求項２に記載の発明は、請求項１に記載の脚部３１は、床基盤上に載置された基台３２と、この基台３２上に回転可能に配置されたねじ棒３３とからなり、上記根太支持部４０には前記ねじ棒３３にねじ込まれ、床基盤１からの高さを可変に配置されている根太支持具である。
【００１９】
請求項３に記載の発明は、請求項１に記載の脚部３１は、床基盤１上に埋め込まれて固定された雌ねじ部材７５と、この雌ねじ部材７５にねじ込まれたねじ棒３３からなり、上記根太支持部４０には、前記ねじ棒３３にねじ込まれ、床基盤からの高さを可変に配置されている根太支持具である。
【００２０】
請求項４に記載の発明は、請求項１、請求項２又は請求項３記載の根太支持部４０は、合成樹脂で形成された根太支持具である。
【００２１】
請求項５に記載の発明は請求項１、請求項２又は請求項３記載の根太支持部４０は、金属板で形成された根太支持具である。
【００２２】
請求項６に記載の発明は、請求項１、請求項２、請求項３、請求項４，又は請求項５に記載の根太支持具で根太を支持する床構造である。
【発明の実施の形態】
〔第１の形態に係る根太支持具〕
【００２３】
まず、発明に係るの第１の形態に係る根太支持具について説明する。図１乃至図３は第１の形態に係る根太支持具を示すものである。
【００２４】
本例では、床基盤１上に配置され根太１０を支持する根太支持具３０は、床基盤上に立設される脚部３１と、この脚部３１の上部に高さ可変に取り付けられる、根太支持部４０とからなる。
【００２５】
本例では前記根太支持部４０は、上記根太１０の下面に当接して根太１０を支承する底板４１と、この底板の両側部から立設され、弾性的に外側に向け湾曲可能な腕部４５と、該腕部４５の先端に形成され、上方から上記腕部４５の間に挿入された根太１０の係止溝１１に嵌まり込み、根太１０を係止する係合爪部４８とを備え、合成樹脂で構成されている。
【００２６】
本例に係る根太支持具３０は、床基盤１上に立設される脚部３１とこの脚部３１上に取り付けられる根太支持部４０とからなる。
【００２７】
本例において、上記脚部３１は床基盤１上に載置される合成樹脂製の基台３２と、この基台３２上に回転可能に配置されるねじ棒３３とからなる。
【００２８】
そして、上記根太支持部４０は、前記ねじ棒３３にねじ込まれ、床基盤１からの高さを可変に配置されている。
【００２９】
本例では上記根太支持部は、図３に示すように底板４１の下面中央部には、雌ねじ部４６ａが形成されたねじ部４６が設けられ、このねじ部４６から放射状に補強用のリブ４９が形成されている。
【００３０】
従って、本例に係る根太支持具３０によれば、根太１０に根太支持具３０を取り付けるには、根太１０に開設されたねじ棒貫通孔５４に合わせて根太支持具３０を取り付け、根太支持具３０を取り付けた根太１０を床基盤１上に載置すればよい。このように、本例に係る根太支持具３０を使用すれば、容易に根太１０を床基盤１上に配置することができる。なお図１中符号８１は根太１０上に、根太１０の係止溝１１に引っ掛けられる取り付け金具８３を介して配置されるフローリング材、８２はフローリング材の側面に形成され、上記金具８３が取り付けられる取り付け溝を示している。
【００３１】
〔他の実施の形態の床構造〕
また、本発明では、上記脚部３１は、図４に示すように、脚部３１の雌ねじ部材７５を床基盤１上の孔部１ａに埋め込んで接着材７４で固着しておき、雌ねじ部材７５が床基盤１に固着された後、根太支持部４０を取り付け、床基盤１に立設された根太支持具３０に根太１０を取り付けることができる。
【００３２】
尚、上記各例では根太支持部を合成樹脂で構成したものを実施の形態例として説明したが、根太支持部を金属で構成することもできる。
【発明の効果】
以上説明したように本発明によれば、コンクリートスラブ上に根太材を容易に配置することができる。
【図面の簡単な説明】
【図１】本発明に係る根太支持具及び床構造の実施の形態の一例を示す斜視図である。
【図２】図１に示した根太支持具を示す断面図である。
【図３】本発明に係る根太支持具の裏面からの斜視図である。
【図４】本発明の根太支持具の他の実施の形態を示す断面図である。
【図５】従来の根太支持具及び床構造の実施の形態の一例を示す斜視図である。
【符号の説明】
１      床基盤(コンクリートスラブ)
１ａ    孔部
２      接着剤
１０    根太
１１  係止溝
３０  根太支持具
３１    脚部
３２    基台
３３    ねじ棒
４０    根太支持部
４１    底板
４５    腕部
４６    ねじ部
４６ａ  雌ねじ部
４８    係合爪部
４９    リブ
５１    支持金具
５２    根太材
５２ｂ  側面部
５４    ねじ棒貫通孔
５６    ねじ棒
５６ａ  上端面
５６ｂ  下端面
５７    保持金具
５７ａ  底板部
５７ｂ  立設板部
５７ｃ  水平嵌入板部
５８    貫通孔
５９    ナット
６０    係合溝
７２    取付金具
７２ａ  有底筒体
７２ｂ  鍔部
７２ｃ  内面
７２ｅ  底板
７５    雌ねじ部材
【図１】
0003650020.tif 000002
【図２】
0003650020.tif 000003
【図３】
0003650020.tif 000004
【図４】
0003650020.tif 000005
【図５】
0003650020.tif 000006